(57)【特許請求の範囲】
【請求項１】
利用者用の入口部を少なくとも有する空気浄化室を備えた喫煙ブースであって、
前記空気浄化室の内部には、空気中の微粒子を捕捉処理するための処理水を幅方向に面状に給水する面状給水部と、該面状給水部に向けて気流を生じさせる気流発生部とを備えることを特徴とする喫煙ブース。
【請求項２】
前記面状給水部は、処理水を霧状に噴霧するノズルであることを特徴とする請求項１に記載の喫煙ブース。
【請求項３】
前記面状給水部は、前記気流発生部により生じる気流と交差する方向に配設されていることを特徴とする請求項１または２に記載の喫煙ブース。
【請求項４】
前記気流発生部は、前記入口部近傍に前記空気浄化室の内方に向けて配設されていることを特徴とする請求項１ないし３のいずれかに記載の喫煙ブース。
【請求項５】
前記気流発生部は、前記空気浄化室の内部に清浄空気を供給する給気口を含むことを特徴とする請求項１ないし４のいずれかに記載の喫煙ブース。
【請求項６】
前記気流発生部は、前記空気浄化室の内部の空気を室外に排気する排気口を含むことを特徴とする請求項１ないし５のいずれかに記載の喫煙ブース。
【発明の詳細な説明】
【技術分野】
【０００１】
本発明は、例えばタバコの喫煙時に、ヤニ、煙等の微粒子を含む空気を浄化するため、処理水を用いた空気浄化室を備えた喫煙ブースに関する。
【背景技術】
【０００２】
従来、公共または私設の場所や施設・建物内の特定エリア等に、喫煙者用の空気浄化室を備えた喫煙ブースが設けられ、このブース内にタバコのヤニと煙等を含む空気を負圧吸引する吸引口を備えるものがあり、空気中に漂うヤニ、煙を排煙することで、空気を浄化するものがある（例えば、特許文献１参照）。
【先行技術文献】
【特許文献】
【０００３】
【特許文献１】特開２０１０−１２７０５６号公報（第５頁、第１図）
【発明の概要】
【発明が解決しようとする課題】
【０００４】
しかしながら、喫煙者の呼気とともに空気中に放出されるタバコのヤニと煙を含んだ微粒子は、鼻口を起点にして広角度に空気中を飛散することから、特許文献１の喫煙ブースにあっては、ブース内にて一定面積で開口する吸引口を介しその周辺空気を負圧吸引しても、タバコのヤニと煙を含む微粒子の捕捉量には限度があり、ブース内の空気中には依然として微粒子が少なからず残留するため、残留したヤニと煙を含んだ空気は喫煙ブース内の床・壁面に沈着し汚れとなり、タバコのヤニを含んだ臭いを発生し、喫煙者であっても、喫煙ブースに入室する際に極度の悪臭を感じることがあり、十分な空気清浄効果を得ることができないという問題がある。
【０００５】
本発明は、このような問題点に着目してなされたもので、タバコの喫煙時の空気中に含まれるヤニと煙を含んだ微粒子を確実に捕捉し、空気を高度に清浄化して供することができる喫煙ブースを提供することを目的とする。
【課題を解決するための手段】
【０００６】
前記課題を解決するために、本発明の喫煙ブースは、
利用者用の入口部を少なくとも有する空気浄化室を備えた喫煙ブースであって、
前記空気浄化室の内部には、空気中の微粒子を捕捉処理するための処理水を幅方向に面状に給水する面状給水部と、該面状給水部に向けて気流を生じさせる気流発生部とを備えることを特徴としている。
この特徴によれば、喫煙ブースの空気浄化室内の面状給水部が、この面状給水部に向けて気流発生部により吹き寄せられた室内の空気中のタバコのヤニと煙を含んだ微粒子を、幅方向に面状に拡がる処理水により広範囲にカバーして捕捉することができるため、喫煙ブース内の空気中に含まれるタバコのヤニと煙の残留微粒子を極少化し、高度に清浄化した空気を提供することができる。
【０００７】
前記面状給水部は、処理水を霧状に噴霧するノズルであることを特徴としている。
この特徴によれば、ノズルにより処理水を微小で多数の水滴から成る霧状に噴霧できるため、喫煙ブース内に放たれる処理水全体の表面積を最大化でき、空気中に含まれるタバコのヤニと煙の微粒子を残さず捕捉することができる。
【０００８】
前記面状給水部は、前記気流発生部により生じる気流と交差する方向に配設されていることを特徴としている。
この特徴によれば、面状給水部により生成される面状の水膜が、気流発生部による気流とともに進行する微粒子と交差するように拡がるため、当該水膜が微粒子と漏れなく接して微粒子が水滴に沈着し、その全量を捕捉することができる。
【０００９】
前記気流発生部は、前記入口部近傍に前記空気浄化室の内方に向けて配設されていることを特徴としている。
この特徴によれば、入口部近傍の空気を空気浄化室の内方に向ける気流を生じさせることができるため、入口部に扉を設置せずとも、室内空気が入口部から流出することを防止できる。よって、喫煙ブースの内壁の面積を小さくでき、当該内壁の壁面に沈着するタバコのヤニを含んだ臭いの発生を極力抑えることができる。
【００１０】
前記気流発生部は、前記空気浄化室の内部に清浄空気を供給する給気口を含むことを特徴としている。
この特徴によれば、喫煙時のタバコのヤニと煙の微粒子を含むブース内空気と、給気口より供給した清浄空気とを混合させることで、室内空気を希釈して清浄化できるばかりか、面状給水部に向かう気流を生じさせ、処理水による微粒子の捕捉効率が高まる。
【００１１】
前記気流発生部は、前記空気浄化室の内部の空気を室外に排気する排気口を含むことを特徴としている。
この特徴によれば、喫煙ブース内の空気を排気口から排出することで、喫煙ブース内の気圧を下げて室外からブース内に向かう気流を生成できるため、ブース内空気が入口部から流出することを防止できる。
【図面の簡単な説明】
【００１２】
【図１】実施例１における喫煙ブースを示す一部透過斜視図である。
【図２】図１のＡ−Ａ断面図である。
【図３】図１のＢ−Ｂ断面図である。
【図４】図２のＣ−Ｃ断面図である。
【図５】図２のＤ−Ｄ断面図である。
【図６】面状給水部の形状の変形例を示す図である。
【図７】面状給水部の配置の変形例を示す図である。
【発明を実施するための形態】
【００１３】
本発明に係る喫煙ブースを実施するための形態を実施例に基づいて以下に説明する。
【実施例１】
【００１４】
実施例１に係る喫煙ブースにつき、図１から図５を参照して説明する。先ず図１の符号１に示される本発明の適用された喫煙ブースは、この装置の利用者である喫煙者用の入口部２ａを有し、内部で複数の利用者が喫煙できる空気浄化室２から成る。この喫煙ブース１は、例えば官公庁や駅、病院、オフィス、店舗、遊技場など、公共・私設の屋内または屋外の特定エリアに設置されるものであり、後述するように喫煙者の排煙等に含まれる微粒子を除去することで、空気の清浄化を達成するものである。
【００１５】
本発明の喫煙ブース１の構造について説明する。
【００１６】
図１，２に示されるように、喫煙ブース１の空気浄化室２は、その外形は略直方体の外壁で覆われ正面中央に開口した入口部２ａを有し、その室内は、正面奥側の平板状の正面内壁２ｂ、及び左右が湾曲した湾曲内壁２ｃで囲まれた平面視略小判状の室内居住空間Ｌが拡がっている。さらに正面内壁２ｂの背面側には、処理水を滝状の水膜Ｗに給水するための処理水給水空間Ｍが拡がっており、室内居住空間Ｌと処理水給水空間Ｍとは、正面内壁２ｂの上部に貫通形成された幅広の開口部３を介して連通している。
【００１７】
また開口部３の下縁に沿って、幅方向に複数の吸殻投入口４が設けられ、これらの吸殻投入口４は下方の吸殻回収装置５に連通し、タバコの吸殻を回収できるようになっている。
【００１８】
なお、入口部２ａは、本実施例では開閉扉等は有さず常に開放状態であるため利用者にとって出入りし易く利便性が高いが、これに限らず例えば開閉扉を設け外部との遮蔽性をより高めてもよい。
【００１９】
空気浄化室２には、外部の清浄空気を空気浄化室２内に導入する給気配管部１０、室内空気を外部に排気する排気配管部２０、そして室内の空気中の排煙等に含まれる微粒子を捕捉除去するための処理水配管部３０が設けられている。なお、本実施例の給気配管部１０、排気配管部２０は、空気浄化室２の左右対称に一対に配設されているが、以下の説明では左右一方のみを説明し、他方は説明を省略する。
【００２０】
給気配管部１０は、空気浄化室２の外側壁に開口した外気取入口１１、図示しない駆動源に接続される外気用ファン１３、及び空気浄化室２の内側壁に開口した給気口１４が、内外壁間に設けた外気配管１５によって連通接続されている。外気取入口１１は、空気浄化室２の上下略中央高さ位置に縦長長方形状に開設され、その開口は外気中の微粒子を予め捕捉するためのフィルタ１２で被覆されている。給気口１４は、外気取入口１１と同様に室内の湾曲内壁２ｃの上下略中央高さ位置に、所定数の左右列・上下段（本実施例では左右２列で上下３段）に開設された複数の小孔から成り、室内の正面奥を向いて開口している。給気口１４は、本発明の気流発生部を構成している。
【００２１】
排気配管部２０は、室内の湾曲内壁２ｃの下部位置に正面手前を向いて左右一対に開口した排気口２１、及び室内の正面内壁２ｂの上部位置に正面手前を向いて左右に延設開口した排気口２２、平面視略小判状の室内居住空間Ｌの上部天井部に開口した排気口２８（図５参照）、図示しない駆動源に接続される排気用ファン２３、排気口２１，２２，２８からの排気を集める集気ダクト２４、及び空気浄化室２の外部に開口する排気ダクト２６が、内外壁間に設けた排気配管２５によって連通接続されている。排気口２１，２２，２８は、本発明の気流発生部を構成している。
【００２２】
次に図３に示されるように、処理水配管部３０は、正面内壁２ｂの背面の処理水給水空間Ｍの下部に設けられた処理水タンク３１、この処理水タンク３１内に配設され、図示しない駆動源に接続される処理水供給手段としての処理水ポンプ３２、及びこの処理水ポンプ３２に図示しない給水配管によって連通接続され、正面内壁２ｂの上部位置に奥側を向いて左右に複数並設し開口した給水口３３から主として構成される。給水口３３は、本発明の面状処理部を構成している。吸水口３３から排出された後の処理済み水は、処理水タンク３１を介し水フィルタ５１で粉塵が濾過され、水タンク５０に集められる。再利用のため集められた処理水（再利用水）は、送水ポンプ５４から送り出され、再び給水口３３から噴霧され喫煙時のタバコのヤニと煙を捕捉する。処理水配管部３０に設けられた処理水タンク３１には、雑菌処理及び殺菌のため薬液タンク５２から薬液注入ポンプ５３を通して殺菌剤が適時注入され処理水を殺菌している。なお、図３で各機器を接続する配管は図示を省略している。
【００２３】
なお、給水口３３は本実施例では幅方向に延設された集水管３４に所定間隔で１列または複数列に配設された複数の小孔の噴出ノズルとして構成され、処理水または再利用水を所定の圧力で常時噴出する構造となっている。本実施例で噴出ノズルの径は０．２５ｍｍであるが、０．０５〜０．７ｍｍの範囲であれば、霧状の微細な水滴飛沫を排出できるため好ましい。また給水口３３は、正面奥側に向け斜め下方を向くように配設されている。また集水管３４は、処理水給水空間Ｍを形成する正面奥の壁面と平行に配設された管であり、その断面形状は円形若しくは矩形状を成している。
【００２４】
処理水タンク３１内の処理水は、処理水ポンプ３２により吐出され給水配管（図示略）を介して水フィルタ５１に送られ通過することで処理済み水であれば再利用され、水タンク５０に集められる。水タンク５０内の処理水または再利用水は、送水ポンプ５４より、各給水口３３から霧状に吹き出され、処理水給水空間Ｍにて面状の水膜Ｗとして形成された後、元の処理水タンク３１内に集積され、再び処理水ポンプ３２により循環供給される。ここで本発明の面状給水部とは、幅方向に隙間なく１面に水膜を生成するものに限らず、微小な無数の水滴が僅かな空隙を介して幅方向かつ前後方向に拡がり全体で面状態の水膜を生成するものも含まれる。
【００２５】
なお、処理水タンク３１の上部には図示しないプラグ付きの清浄水供給口が設けられ、所定の清浄水供給源に接続されており、循環前の未処理の清浄水を、処理水タンク３１内に供給できるようになっている。
【００２６】
更になお、処理水タンク３１の下部には図示しないプラグ付きの排水口が設けられ、処理水が一定時間（例えば１日）循環供給された後、プラグを開放し、微粒子の捕捉処理済みの処理水を当該排水口より排水する。またこの排水口は、図示しない排水路に接続してもよいし、または後述する処理済み水浄化装置に接続して、処理済み水を浄化したうえで、当該浄化した再生水を上記清浄水供給口に導入してもよい。
【００２７】
なお、本実施例の処理水は、清浄水（通常の上水）及び処理後に浄化した再利用水であるが、これに限らず、例えば微粒子捕捉効果を高める所定の薬剤・添加剤を混合した薬液でもよいし、また微細な気泡を含む気液混合の処理水を生成しても構わない。更に処理水に一定の粘性を付与してもよく、このようにすることで、当該処理水を面状の液膜に形成し易く、延いては空気中の微粒子の捕捉効果を高めることができる。
【００２８】
本発明の喫煙ブース１の室内の気流及び水流について説明する。
【００２９】
図２に示されるように、先ず、給気配管部１０の外気用ファン１３の動力により気流が生じ、空気浄化室２外部の空気が外気取入口１１から取り入れられ、その際に外気取入口１１を被覆するフィルタ１２を通過する際に空気中の微粒子が捕捉され、清浄空気として略水平を向く給気口１４から空気浄化室２内部に吹出される（図示白抜き矢印参照）。
【００３０】
また図４に示されるように、排気配管部２０の排気用ファン２３の動力により気流が生じ、空気浄化室２内部の排煙を含む空気が正面奥側に略水平を向いて開口した排気口２１，２２から吸引されて取り入れられ、集気ダクト２４及び排気ダクト２６を介し室外に排気される（図示黒塗り矢印参照）。
【００３１】
上記した入口部２ａの左右にて吹出される清浄空気の気流は、給気口１４の開口方向である室内の正面奥方向を向き、更に空気浄化室２内部の空気の気流は、正面奥側にて開口した排気口２１，２２から吸引される方向を向くため、入口部２ａ近傍の空気は、この気流に伴い空気浄化室２内部に向かう流れを生じる。このため、入口部２ａを閉塞可能な扉を設置せずとも、空気浄化室２内部の排煙を含む空気が入口部２ａから外部に漏出することを抑止できる。
【００３２】
更に、給気口１４は空気浄化室２内部の略中央高さ位置に設けられ、また排気口２１，２２はそれぞれ空気浄化室２内部の上部高さ位置、下部高さ位置に設けられていることから、給気口１４から排気口２１にかけて生成される気流は斜め上方を向くとともに、給気口１４から排気口２２にかけて生成される気流は斜め下方を向く。
【００３３】
次に、処理水配管部３０の送水ポンプ５４の動力により水流が生じ、処理水タンク３１内の処理水が複数の吸水口３３から噴出された無数の微細な水滴飛沫が、空気浄化室２内の正面奥の処理水給水空間Ｍで幅方向に拡がり全体に面状の水膜Ｗに生成されて順次滝状に落下する。
【００３４】
空気浄化室２内の室内居住空間Ｌに居る喫煙者は、開口部３を介し上記した面状の水膜Ｗに生成された処理水に向けて排煙を吐出することで、空気中の排煙等に含まれる微粒子が処理水の水滴に吸着して捕捉され、当該水滴と共に処理水タンク３１に順次落下する（図５の一点鎖線囲い部参照）。
【００３５】
なお、空気浄化室２内で生成される水膜Ｗよりも更に正面奥側に、空気浄化室２内の喫煙者が正面奥を向く誘導手段として、例えば観賞用ディスプレイや装飾照明等を配することで、当該誘導手段に誘導された喫煙者が正面奥方を向き、面状に落下する処理水に向けて排煙を吹き付けることになるため、排煙中の微粒子の略全量を処理水に捕捉させることができる。
【００３６】
次に、空気中の排煙に含まれる微粒子が処理水に捕捉される機序について説明する。
【００３７】
通常の紙巻きタバコの燃焼温度帯は５００〜８００℃程度であり、タバコの燃焼により発生する気体からなるコロイド系エアロゾルは、タール粒子等の直径１ｎｍ以下の無数の微粒子が含まれる。これらの微粒子は、熱を含み軽いため重力の影響をほぼ受けずに空気中を浮遊し、通常は常温の壁面に引き寄せられ付着して熱を奪われ凝固して壁面に固まる。
【００３８】
空気中の排煙に含まれる微粒子の挙動について詳述する。微粒子が排出される空気中に温度勾配が存在すると、これらの微粒子は、高温側の媒質気体分子から低温側よりも大きな運動量を与えられ、この結果、高温側から低温側に向かって力を受けて移動する熱泳動という現象が知られている。この熱泳動により、排煙直後は高温であって呼気による慣性を受けて前方に飛散した微粒子は、より低温の周囲の空気に向けて拡散する。
【００３９】
空気中を拡散して浮遊する微粒子は、重力により降下する処理水の水滴との沈降速度の差により、当該水滴に慣性力で衝突して捕捉され、当該水滴とともに落下することになる。
【００４０】
なお、本発明に係る処理水は、本実施例のように、給水口３３を小径の噴出ノズルで構成して下方に向けて所定圧力で噴出される構造とすることが好ましく、このようにすることで、排煙中に含まれる微粒子との沈降速度の差拡大するため、処理水による慣性力の作用が高まり、処理水による捕捉効果を向上させることができる。
【００４１】
更になお、本発明に係る処理水の水温は、空気温度よりも低い温度設定がされていることが好ましく、このようにすることで、排煙中に含まれる微粒子との温度差が拡大するため、微粒子の熱泳動の作用が高まり、処理水による捕捉効果を向上させることができる。
【００４２】
なお、本発明の面状給水部とは、処理水を幅方向に拡がる面状に供給するものであればよく、本実施例のように複数の噴出ノズルを幅方向に複数配置するもののほか、後述の変形例の態様も含まれる。
【００４３】
次に、本発明に係る面状給水部の形状の変形例について説明する。
【００４４】
図６（ａ）に示されるように、第１の変形例の面状給水部は、集水管３４に幅方向に連続して開口した横長のスリット孔３３ａとして形成される。このような面状給水部によれば、スリット孔３３ａから供給される処理水が幅方向に切れ目のない１面の水膜として形成されるため、該水膜に飛来する微粒子を残さず捕捉することができる。
【００４５】
図６（ｂ）に示されるように、第２の変形例の面状給水部は、集水管３４に幅方向に所定間隔で配される複数孔の噴出ノズル３３ｂからなる給水列が、前後方向に複数列配設されている。このような面状給水部によれば、各給水列ごとに噴出ノズル３３ｂから供給される面状の処理水が、前後方向に複数面積層して形成されるため、これら複数の面状の処理水に飛来する微粒子を残さず捕捉することができる。さらに図６（ｂ）に示されるように、前後列で隣接する噴出ノズル同士が幅方向の位置を替えながら配設されるため、ほぼ隙間のない液膜を形成できる。
【００４６】
また図６（ｃ）に示されるように、第３の変形例の面状給水部は、集水管３４に幅方向かつ前後方向に多数の微細な供給孔を有する給水ヘッド３３ｃが、幅方向に所定間隔で複数配設される。このような面状給水部によれば、幅方向かつ前後方向に隙間のない壁状の処理水として形成されるため、これら壁状の処理水に飛来する微粒子を残さず捕捉することができるばかりか、各給水ヘッド３３ｃごとに水量を個別に制御することで、空気清浄能力を幅方向に可変に制御できる。
【００４７】
次に、本発明に係る面状給水部の配置の変形例について説明する。
【００４８】
図７（ａ）に示されるように、第１の変形例の面状給水部は、空気浄化室２の内部の正面内壁から側面内壁にかけて、開口部３が開設され、それら内壁の略全面に亘り水膜Ｗ１が生成されるように設けられている。このような面状給水部によれば、空気浄化室２内にて喫煙者が入口部を除く全方位を向いて喫煙しても、高い空気清浄能力を維持できる。
【００４９】
図７（ｂ）に示されるように、第２の変形例の面状給水部は、空気浄化室２’の前面及び後面それぞれに入口部２ａ、２ａ’が設けられるとともに、この空気浄化室２’内部の略中央に幅方向に延びる壁体６が配設されており、この壁体６の前後両面に開口部３，３が開設され、当該壁体６の内部に水膜Ｗ２が生成されるように面状給水部が配置されている。このような面状給水部によれば、空気浄化室２内に前後の入口部２ａ、２ａ’から利用者が進入して利用でき利便性が高まる。
【００５０】
図７（ｃ）に示されるように、第３の変形例の面状給水部は、上記した実施例１の正面内壁２ｂの略中央に、この正面内壁２ｂに連続して正面手前側に延びる壁体７が配設されており、この壁体７の左右両面に開口部３，３が開設され、当該壁体７の内部に水膜Ｗ３が生成されるように面状給水部が配置されている。このような面状給水部によれば、空気清浄室２内にて複数の喫煙者を壁体７で簡易的に間仕切りできるばかりか、水膜Ｗ３の生成領域を拡げて高い空気清浄能力を維持できる。
【００５１】
上記した本発明の喫煙ブース１によると、以下の作用効果を奏する。
【００５２】
本発明の喫煙ブース１によれば、空気浄化室２内の面状給水部である給水口３３が、この給水口３３に向けて気流発生部である給気口１４、排気口２１，２２により吹き寄せられた室内の空気中のタバコのヤニと煙を含んだ微粒子を、幅方向に面状に拡がる処理水により広範囲にカバーして捕捉することができるため、喫煙ブース１内の空気中に含まれるタバコのヤニと煙の残留微粒子を極少化し、高度に清浄化した空気を提供することができる。
【００５３】
また、本発明の面状給水部である給水口３３は、処理水を霧状に噴霧するノズルであることで、処理水を微小で多数の水滴から成る霧状に噴霧できるため、喫煙ブース内に放たれる処理水全体の表面積を最大化できるため、空気中に含まれるタバコのヤニと煙の微粒子を残さず捕捉することができる。
【００５４】
また、本発明の面状給水部である給水口３３は、気流発生部である給気口１４、排気口２１，２２により生じる気流と交差する方向に配設されていることで、給水口３３により生成される面状の水膜Ｗが、給気口１４、排気口２１，２２による気流とともに進行する微粒子と交差するように拡がるため、当該水膜Ｗが微粒子と漏れなく接して微粒子が水滴に沈着し、その全量を捕捉することができる。より詳しくは、タバコ喫煙時に発生する、気体からなるコロイド系エアロゾルは、タバコ喫煙時にタバコの燃焼熱が発生し、その微粒子は高温側の媒質気体分子から、低温側よりも大きな運動量を与えられ、その結果、高温側から低温側に向かって力を受けて移動が起こる。又高温物体表面のごく近傍にはエアロゾル微粒子を含まない空間が生じ、逆に直方体給水部の冷たい物体と凝縮成長水滴の表面では微粒子の沈着が生じる。
【００５５】
また、本発明の気流発生部である給気口１４は、入口部２ａ近傍に空気浄化室２の内方に向けて配設されていることで、入口部２ａ近傍の空気を空気浄化室２の内方に向ける気流を生じさせることができるため、入口部２ａに扉を設置せずとも、室内空気が入口部２ａから流出することを防止できる。よって、喫煙ブース１の内壁の面積を小さくでき、当該内壁の壁面に沈着するタバコのヤニを含んだ臭いの発生を極力抑えることができる。
【００５６】
更に、本発明の気流発生部は、空気浄化室２の内部に清浄空気を供給する給気口１４であることで、喫煙時のタバコのヤニと煙の微粒子を含むブース内空気と、給気口１４より供給した清浄空気とを混合させることで、室内空気を希釈して清浄化できるばかりか、面状給水部に向かう気流を生じさせ、熱泳動及び拡散泳動などの作用及び、面状給水部と気流との交差による沈着作用により、処理水による微粒子の捕捉効率が高まる。
【００５７】
また、本発明の気流発生部は、空気浄化室２の内部の空気を室外に排気する排気口２１，２２であることで、喫煙ブース１内の気圧を下げて室外からブース内に向かう気流を生成できるため、ブース内空気が入口部２ａから流出することを防止できる。
【００５８】
以上、本発明の実施例を図面により説明してきたが、具体的な構成はこれら実施例に限られるものではなく、本発明の要旨を逸脱しない範囲における変更や追加があっても本発明に含まれる。
【００５９】
例えば、前記実施例では、気流を生じさせるための外気用ファン１３、排気用ファン２３及び水流を生じさせるための処理水ポンプ３２を動力としているが、これらの動力は常時オン状態としてもよいし、あるいは入口部に人感センサを設ける等により、喫煙者の利用時のみオン状態として非利用時はオフ状態としてもよい。
【００６０】
また例えば、前記実施例では、本発明の気流発生部として給気口１４及び排気口２１，２２が設けられているが、例えば給気口または排気口のいずれか一方のみが設けられていてもよいし、あるいは本発明の気流発生部として、空気浄化室２内に給気若しくは排気することなく、面状給水部による水膜に向けて室内空気に流れを生じさせるファンを設けても構わない。
【符号の説明】
【００６１】
１                喫煙ブース
２                空気浄化室
２ａ              入口部
２ｂ              正面内壁
２ｃ              湾曲内壁
３                開口部
４                吸殻投入口
５                吸殻回収装置
６                壁体
７                壁体
１０              給気配管部
１１              外気取入口
１２              フィルタ
１３              外気用ファン
１４              給気口
１５              外気配管
２０              排気配管部
２１              排気口
２２              排気口
２３              排気用ファン
２４              集気ダクト
２５              排気配管
２６              排気ダクト
２８              排気口
３０              処理水配管部
３１              処理水タンク
３２              処理水ポンプ
３３              給水口（面状給水部）
３３ａ            スリット孔（面状給水部）
３３ｂ            噴出ノズル（面状給水部）
３３ｃ            給水ヘッド（面状給水部）
３４              集水管
３６              排水口
３７              排水タンク
３８              排水配管
５０              水タンク
５１              水フィルタ
５２              薬液タンク
５３              薬液注入ポンプ
５４              送水ポンプ
【図１】
0006527079.tif 000002
【図２】
0006527079.tif 000003
【図３】
0006527079.tif 000004
【図４】
0006527079.tif 000005
【図５】
0006527079.tif 000006
【図６】
0006527079.tif 000007
【図７】
0006527079.tif 000008